(57)【要約】【課題】  保持具が配設面に届かなくても保護カバーを保持することができる、配線・配管材用の保護カバー装置を提供する。【解決手段】  保護カバー装置３は、配設面１に配設されて配線・配管材２を収容保護する保護カバー５と、その保護カバー５に跨がって配設面１に取り付けられる保持具６とを備える。この保持具６は、保護カバー５の上面側を覆う覆い部６ａと、その覆い部６ａの両端から保護カバー５の両側方を配設面１に向かって延びる脚部６ｂと、その脚部６ｂの先端に設けられて配設面１に固定される固定部６ｃとを有する。そして、保護カバー装置３は、各片側の固定部６ｃと配設面１との間に介在する保持具用スペーサー７を備え、その保持具用スペーサー７が個別に設けられた両方の固定部６ｃが、その保持具用スペーサー７を介して配設面１に固定される。【選択図】  図１
2014214775.tif 000002
【特許請求の範囲】
【請求項１】
配設面に配設されて配線・配管材を収容保護する保護カバーと、前記保護カバーを保持すべく、前記保護カバーに跨がって前記配設面に取り付けられる保持具とを備え、その保持具が、前記保護カバーの上面側を覆う覆い部と、その覆い部の両端から前記保護カバーの両側方を前記配設面に向かって延びる脚部と、その両脚部の先端に設けられて前記配設面に固定される固定部とを有する、保護カバー装置であって、
前記保護カバー装置は、片側もしくは各片側の前記固定部と前記配設面との間に介在する保持具用スペーサーを備え、その保持具用スペーサーが設けられた一方の固定部、または、その保持具用スペーサーが個別に設けられた両方の固定部が、その保持具用スペーサーを介して前記配設面に固定される、配線・配管材用の保護カバー装置。
【請求項２】
前記保持具用スペーサーは、前記保持具の両方の固定部に、対となって設けられる、請求項１に記載の配線・配管材用の保護カバー装置。
【請求項３】
前記保護カバー装置は、前記保護カバーと前記配設面との間に介在する保護カバー用スペーサーを備える、請求項１または２に記載の配線・配管材用の保護カバー装置。
【請求項４】
前記保護カバー用スペーサーの厚みは、前記保持具用スペーサーの厚みの、１倍を含めて整数倍、または整数分の１倍に形成されている、請求項３に記載の配線・配管材用の保護カバー装置。
【請求項５】
請求項１に記載の保護カバー装置を用いた、配線・配管材用の保護カバーの配設構造であって、
配設面に配設された前記保護カバーに対し、前記保持具が跨がって、その保持具の両固定部が、前記配設面に固定され、かつ、少なくとも一方の前記固定部が、その固定部と前記配設面との間に介在する前記保持具用スペーサーを介して、前記配設面に固定されて、前記保持具が、前記配設面に取り付けられる、配線・配管材用の保護カバーの配設構造。
【請求項６】
前記保護カバーは、その保護カバーと前記配設面との間に介在する保護カバー用スペーサーを介して、前記配設面に配設され、
前記保持具の両固定部の下面は、前記保護カバーの下面と面一であって、
前記両固定部のそれぞれが、その固定部と前記配設面との間に介在する前記保持具用スペーサーを介して、前記配設面に固定される、請求項５に記載の配線・配管材用の保護カバーの配設構造。
【請求項７】
前記配設面は、前記保護カバー用スペーサーと前記保持具用スペーサーとに渡って平面状に形成されて、
配置された前記保護カバー用スペーサーの全体の高さと、両側に配置された前記保持具用スペーサーの各側での全体の高さとは一致している、請求項６に記載の配線・配管材用の保護カバーの配設構造。
【請求項８】
前記保護カバーは、前記配設面に形成された段部の上段面に配設され、
前記保持具の両固定部の下面は、前記保護カバーの下面と面一であって、
前記固定部のうちの一方は、前記段部の下段面に対向して、前記段部の高さ分、その固定部と前記下段面との間に介在する前記保持具用スペーサーを介して、前記下段面に固定される、請求項５に記載の配線・配管材用の保護カバーの配設構造。
【請求項９】
前記保持具用スペーサーは、高さ方向に積み重ねられて配置される、請求項５ないし８のいずれか１項に記載の配線・配管材用の保護カバーの配設構造。
【請求項１０】
前記保持具用スペーサーの厚みと前記保護カバー用スペーサーの厚みとは、同じであって、それら保持具用スペーサーと保護カバー用スペーサーとが、それぞれ高さ方向に積み重ねられて配置される、請求項６または７に記載の配線・配管材用の保護カバーの配設構造。
【請求項１１】
前記保持具は、相対的に高さの低い保護カバー用に前記脚部が短く形成され、その保持具を相対的に高さの高い保護カバーに用いて、前記保持具の両固定部のそれぞれが、その固定部と前記配設面との間に介在する前記保持具用スペーサーを介して、前記配設面に固定される、請求項５に記載の配線・配管材用の保護カバーの配設構造。
【請求項１２】
配設面に配設されて配線・配管材を収容保護する保護カバーを保持すべく、前記保護カバーに跨がって前記配設面に取り付けられる保持具に対し、その保持具に備わる両脚部の先端に設けられた固定部における、片側もしくは各片側の固定部と、前記配設面との間に介在するように設けられる、保持具用スペーサーであって、
その保持具用スペーサーが設けられた一方の固定部、または、その保持具用スペーサーが個別に設けられた両方の固定部が、その保持具用スペーサーを介して前記配設面に固定される、保持具用スペーサー。
【請求項１３】
前記保持具用スペーサーは、前記保持具の固定部に設けられた被嵌合部に嵌合する嵌合部を有し、
前記保持具と前記保持具用スペーサーとは、前記被嵌合部に前記嵌合部が嵌合して組み付けられる、請求項１２に記載の保持具用スペーサー。
【請求項１４】
前記保持具用スペーサーは、嵌合部と被嵌合部とを有し、
一の前記保持具用スペーサーの嵌合部が、他の前記保持具用スペーサーの被嵌合部に嵌合して、複数の前記保持具用スペーサーどうしが積み重ねられて組み付けられる、請求項１２に記載の保持具用スペーサー。
【請求項１５】
前記保持具用スペーサーは、前記保護カバーの側面、前記保護カバーと前記配設面との間に介在する保護カバー用スペーサーの側面、または、前記配設面に形成された段部の側面に当接する、当接部を有する、請求項１２ないし１４のいずれか１項に記載の保持具用スペーサー。
【請求項１６】
盤状に形成され、かつ、上面が、前記固定部の下面と略同一の大きさに形成されて、前記上面が、前記固定部の下面に一致するように合わせられる、請求項１２ないし１５のいずれか１項に記載の保持具用スペーサー。
【発明の詳細な説明】
【技術分野】
【０００１】
この発明は、配線・配管材用の保護カバーが保持具によって保持される、保護カバー装置、その保護カバーの配設構造、および保持具用スペーサーに関するものである。
【背景技術】
【０００２】
従来、配線・配管材用の保護カバーの配設構造においては、保護カバーを保持するにあたって、保持具が用いられることがあった（例えば、特許文献１参照）。図１６に示すように、この配設構造における保持具２４は、配線・配管材２２を収容保護する保護カバー２３に対し、跨がるようにして、配設面２１に取り付けられるものであって、保護カバー２３の上面側を覆う覆い部２４ａと、その覆い部２４ａの両端から延びる脚部２４ｂ、２４ｂと、それら脚部２４ｂ、２４ｂの先端に設けられた固定部２４ｃ、２４ｃとから構成されていた。
【先行技術文献】
【特許文献】
【０００３】
【特許文献１】特開２０１１−９４８００号公報
【発明の概要】
【発明が解決しようとする課題】
【０００４】
しかし、前記従来の保持具２４にあっては、保護カバー２３の高さに対し保持具２４の高さが合っていない場合とか、保護カバー２３と配設面２１との間にスペーサーが入れられて保護カバー２３が嵩上げされたような場合には、固定部２４ｃが配設面２１に届かず、この保持具２４を用いて保護カバー２３を保持することができなかった。そのため、保持具２４そのものを用いないか、別途高さの高い保持具２４を用意して対応するしかなかった。
【０００５】
この発明は、上記した従来の欠点を解決するためになされたものであり、その目的とするところは、保持具が配設面に届かなくても保護カバーを保持することができる、配線・配管材用の保護カバー装置、配線・配管材用の保護カバーの配設構造、および保持具用スペーサーを提供することにある。
【課題を解決するための手段】
【０００６】
この発明に係る配線・配管材用の保護カバー装置、配線・配管材用の保護カバーの配設構造、および保持具用スペーサーは、前記目的を達成するために、次の構成からなる。すなわち、
請求項１に記載の発明に係る配線・配管材用の保護カバー装置は、配設面に配設されて配線・配管材を収容保護する保護カバーと、前記保護カバーを保持すべく、前記保護カバーに跨がって前記配設面に取り付けられる保持具とを備える。この保持具は、前記保護カバーの上面側を覆う覆い部と、その覆い部の両端から前記保護カバーの両側方を前記配設面に向かって延びる脚部と、その両脚部の先端に設けられて前記配設面に固定される固定部とを有する。そして、保護カバー装置は、片側もしくは各片側の前記固定部と前記配設面との間に介在する保持具用スペーサーを備え、その保持具用スペーサーが設けられた一方の固定部、または、その保持具用スペーサーが個別に設けられた両方の固定部が、その保持具用スペーサーを介して前記配設面に固定される。
【０００７】
この保護カバー装置によると、配線・配管材を収容保護する保護カバーは、その保護カバーに跨がって配設面に取り付けられる保持具により保持される。ここで、保持具に備わる両脚部の先端に設けられた固定部における、片側もしくは各片側の固定部と、配設面との間に、保持具用スペーサーが介在し、その保持具用スペーサーを介して、固定部が配設面に固定される。こうして、保持具用スペーサーを用いることで、保持具の固定部が配設面に届かなくても、この保持具で保護カバーを保持することができる。
【０００８】
また、請求項２に記載の発明に係る配線・配管材用の保護カバー装置は、請求項１に記載の保護カバー装置において、前記保持具用スペーサーは、前記保持具の両方の固定部に、対となって設けられる。
【０００９】
また、請求項３に記載の発明に係る配線・配管材用の保護カバー装置は、請求項１または２に記載の保護カバー装置において、保護カバー装置は、前記保護カバーと前記配設面との間に介在する保護カバー用スペーサーを備える。こうして、保護カバー用スペーサーと保持具用スペーサーとを併せて用いることで、保護カバーの配設レイアウトの自由度を高くすることができる。
【００１０】
また、請求項４に記載の発明に係る配線・配管材用の保護カバー装置は、請求項３に記載の保護カバー装置において、前記保護カバー用スペーサーの厚みは、前記保持具用スペーサーの厚みの、１倍を含めて整数倍、または整数分の１に形成されている。
【００１１】
また、請求項５に記載の発明に係る配線・配管材用の保護カバーの配設構造は、請求項１に記載の保護カバー装置を用いた、配線・配管材用の保護カバーの配設構造である。この配設構造は、配設面に配設された前記保護カバーに対し、前記保持具が跨がって、その保持具の両固定部が、前記配設面に固定され、かつ、少なくとも一方の前記固定部が、その固定部と前記配設面との間に介在する前記保持具用スペーサーを介して、前記配設面に固定されて、前記保持具が、前記配設面に取り付けられる。
【００１２】
また、請求項６に記載の発明に係る配線・配管材用の保護カバーの配設構造は、請求項５に記載の配設構造において、前記保護カバーは、その保護カバーと前記配設面との間に介在する保護カバー用スペーサーを介して、前記配設面に配設される。そして、前記保持具の両固定部の下面は、前記保護カバーの下面と面一であって、前記両固定部のそれぞれが、その固定部と前記配設面との間に介在する前記保持具用スペーサーを介して、前記配設面に固定される。こうして、保護カバー用スペーサーと保持具用スペーサーとを併せて用いることで、保護カバーの配設レイアウトの自由度を高くすることができる。
【００１３】
また、請求項７に記載の発明に係る配線・配管材用の保護カバーの配設構造は、請求項６に記載の配設構造において、前記配設面は、前記保護カバー用スペーサーと前記保持具用スペーサーとに渡って平面状に形成されて、配置された前記保護カバー用スペーサーの全体の高さと、両側に配置された前記保持具用スペーサーの各側での全体の高さとは一致している。
【００１４】
また、請求項８に記載の発明に係る配線・配管材用の保護カバーの配設構造は、請求項５に記載の配設構造において、前記保護カバーは、前記配設面に形成された段部の上段面に配設される。そして、前記保持具の両固定部の下面は、前記保護カバーの下面と面一であって、前記固定部のうちの一方は、前記段部の下段面に対向して、前記段部の高さ分、その固定部と前記下段面との間に介在する前記保持具用スペーサーを介して、前記下段面に固定される。
【００１５】
また、請求項９に記載の発明に係る配線・配管材用の保護カバーの配設構造は、請求項５ないし８のいずれか１項に記載の配設構造において、前記保持具用スペーサーは、高さ方向に積み重ねられて配置される。こうして、保持具用スペーサーを積み重ねることで、固定部と配設面との間隔の種々の寸法に対応することができ、使い勝手が良い。
【００１６】
また、請求項１０に記載の発明に係る配線・配管材用の保護カバーの配設構造は、請求項６または７に記載の配設構造において、前記保持具用スペーサーの厚みと前記保護カバー用スペーサーの厚みとは、同じであって、それら保持具用スペーサーと保護カバー用スペーサーとが、それぞれ高さ方向に積み重ねられて配置される。こうして、保持具用スペーサーと保護カバー用スペーサーとの高さを統一し、それぞれが積み重ねられるため、様々な状況に対応することができ、使い勝手が良い。
【００１７】
また、請求項１１に記載の発明に係る配線・配管材用の保護カバーの配設構造は、請求項５に記載の配設構造において、前記保持具は、相対的に高さの低い保護カバー用に前記脚部が短く形成される。そして、その保持具を相対的に高さの高い保護カバーに用いて、前記保持具の両固定部のそれぞれが、その固定部と前記配設面との間に介在する前記保持具用スペーサーを介して、前記配設面に固定される。
【００１８】
また、請求項１２に記載の発明に係る保持具用スペーサーは、配設面に配設されて配線・配管材を収容保護する保護カバーを保持すべく、前記保護カバーに跨がって前記配設面に取り付けられる保持具に対し、その保持具に備わる両脚部の先端に設けられた固定部における、片側もしくは各片側の固定部と、前記配設面との間に介在するように設けられる。そして、この保持具用スペーサーにあっては、その保持具用スペーサーが設けられた一方の固定部、または、その保持具用スペーサーが個別に設けられた両方の固定部が、その保持具用スペーサーを介して前記配設面に固定される。
【００１９】
この保持具用スペーサーによると、保持具に備わる両脚部の先端に設けられた固定部における、片側もしくは各片側の固定部と、配設面との間に、この保持具用スペーサーを介在させることで、保持具の固定部が配設面に届かなくても、保持具で保護カバーを保持することができる。
【００２０】
また、請求項１３に記載の発明に係る保持具用スペーサーは、請求項１２に記載の保持具用スペーサーにおいて、前記保持具の固定部に設けられた被嵌合部に嵌合する嵌合部を有する。そして、前記保持具と前記保持具用スペーサーとは、前記被嵌合部に前記嵌合部が嵌合して組み付けられる。こうして、被嵌合部と嵌合部との嵌合により、保持具と保持具用スペーサーとが組み付けられるため、保持具の配置の作業性が良い。
【００２１】
また、請求項１４に記載の発明に係る保持具用スペーサーは、請求項１２に記載の保持具用スペーサーにおいて、嵌合部と被嵌合部とを有する。そして、一の前記保持具用スペーサーの嵌合部が、他の前記保持具用スペーサーの被嵌合部に嵌合して、複数の前記保持具用スペーサーどうしが積み重ねられて組み付けられる。こうして、嵌合部と被嵌合部との嵌合により、保持具用スペーサーどうしが組み付けられるため、保持具用スペーサーの配置の作業性が良い。
【００２２】
また、請求項１５に記載の発明に係る保持具用スペーサーは、請求項１２ないし１４のいずれか１項に記載の保持具用スペーサーにおいて、前記保護カバーの側面、前記保護カバーと前記配設面との間に介在する保護カバー用スペーサーの側面、または、前記配設面に形成された段部の側面に当接する、当接部を有する。こうして、保持具用スペーサーが、当接部を有することで、保持具用スペーサーを配置する際に、その配置位置を決定しやすく、保持具用スペーサーの配置の作業性がよい。
【００２３】
また、請求項１６に記載の発明に係る保持具用スペーサーは、請求項１２ないし１５のいずれか１項に記載の保持具用スペーサーにおいて、盤状に形成され、かつ、上面が、前記固定部の下面と略同一の大きさに形成されて、前記上面が、前記固定部の下面に一致するように合わせられる。
【発明の効果】
【００２４】
この発明に係る配線・配管材用の保護カバー装置、配線・配管材用の保護カバーの配設構造、および保持具用スペーサーによれば、保持具に対し保持具用スペーサーを用いることで、保持具が配設面に届かなくても保護カバーを保持することができる。
【図面の簡単な説明】
【００２５】
【図１】この発明の一実施の形態の、保護カバーの配設構造を示す断面図である。
【図２】同じく、図１におけるＡ−Ａ線による拡大断面図である。
【図３】同じく、保持具の斜視図である。
【図４】同じく、保持具の正面図である。
【図５】同じく、保持具の底面図である。
【図６】同じく、図４におけるＢ−Ｂ線による断面図である。
【図７】同じく、保持具用スペーサーの斜視図である。
【図８】同じく、保持具用スペーサーの正面図である。
【図９】同じく、保持具用スペーサーの底面図である。
【図１０】同じく、図８におけるＣ−Ｃ線による断面図である。
【図１１】この発明の実施の形態の、保護カバーの配設構造の第１の変形例を示す断面図である。
【図１２】この発明の実施の形態の、保護カバーの配設構造の第２の変形例を示す断面図である。
【図１３】この発明の実施の形態の、保護カバーの配設構造の第３の変形例を示す断面図である。
【図１４】この発明の実施の形態の、保護カバーの配設構造の第４の変形例を示す断面図である。
【図１５】この発明の実施の形態の、保護カバーの配設構造の第５の変形例を示す断面図である。
【図１６】従来の保護カバーの配設構造を示す断面図である。
【発明を実施するための形態】
【００２６】
以下、この発明に係る配線・配管材用の保護カバー装置、配線・配管材用の保護カバーの配設構造、および保持具用スペーサーを実施するための形態を図面に基づいて説明する。
【００２７】
図１〜図１０は、本発明の一実施の形態を示す。図中符号１は、壁面、床面、天井面等からなる配設面を示す。２は、配線・配管材（配線材または配管材）を示す。３は、配線・配管材２用の保護カバー装置を示す。４は、配設構造を示す。
【００２８】
保護カバー装置３は、配設面１に配設されて配線・配管材２を収容保護する保護カバー５と、その保護カバー５を保持すべく、保護カバー５に跨がって配設面１に取り付けられる保持具６とを備える。ここで、保持具６は、保護カバー５の上面側を覆う覆い部６ａと、その覆い部６ａの両端から保護カバー５の両側方を配設面１に向かって延びる脚部６ｂ、６ｂと、その両脚部６ｂ、６ｂの先端に設けられて配設面１に固定される固定部６ｃ、６ｃとを有する。
【００２９】
そして、保護カバー装置３は、前記固定部６ｃ、６ｃにおける、片側もしくは各片側（図示実施の形態においては、各片側）の固定部６ｃと、配設面１との間に介在する保持具用スペーサー７を備え、その保持具用スペーサー７が設けられた一方の固定部６ｃ、または、その保持具用スペーサー７が個別に設けられた両方の固定部６ｃ、６ｃ（図示実施の形態においては、両方の固定部６ｃ、６ｃ）が、その保持具用スペーサー７を介して配設面１に固定される。
【００３０】
詳細には、保持具用スペーサー７は、保持具６の両方の固定部６ｃ、６ｃに、対となって設けられ、特に、図示実施の形態においては、二対設けられている。
【００３１】
また、図示実施の形態における保護カバー装置３は、保護カバー５と配設面１との間に介在する保護カバー用スペーサー８を備える。ここで、保護カバー用スペーサー８の厚みは、保持具用スペーサー７の厚みの、１倍を含めて整数倍、または整数分の１倍に形成されている。すなわち、保護カバー用スペーサー８の厚みは、保持具用スペーサー７の厚みと同一か、あるいは、保持具用スペーサー７の厚みの２倍、３倍等の複数倍、または、保持具用スペーサー７の厚みの１／２倍、１／３倍等の整数分の１倍に形成される（図示実施の形態においては、保持具用スペーサー７の厚みと同一に形成されている）。
【００３２】
配設構造４は、前記保護カバー装置３を用いた、配線・配管材２用の保護カバー５の配設構造である。この配設構造４は、配設面１に配設された保護カバー５に対し、保持具６が跨がって、その保持具６の両固定部６ｃ、６ｃが、配設面１に固定される。このとき、少なくとも一方の固定部６ｃが、その固定部６ｃと配設面１との間に介在する保持具用スペーサー７を介して、配設面１に固定されて、保持具６が、配設面１に取り付けられる。
【００３３】
また、図示実施の形態における配設構造４にあっては、保護カバー５は、その保護カバー５と配設面１との間に介在する保護カバー用スペーサー８を介して、配設面１に配設される。そして、保持具６の両固定部６ｃ、６ｃの下面６ｄ、６ｄは、保護カバー５の下面５ａと面一であって、両固定部６ｃ、６ｃのそれぞれが、その固定部６ｃと配設面１との間に介在する保持具用スペーサー７を介して、配設面１に固定される。さらに、配設面１は、保護カバー用スペーサー８と保持具用スペーサー７、７とに渡って平面状に形成されて、配置された保護カバー用スペーサー８の全体の高さと、両側に配置された保持具用スペーサー７、７の各側での全体の高さとは一致している。
【００３４】
具体的には、配線・配管材２は、給水湯管等の通水管とかエアコン用の冷媒管とかの配管材からなる。
【００３５】
そして、保護カバー５は、配線・配管材２に沿って延びている。図示実施の形態においては、保護カバー５は、配線・配管材２に沿って延びる直状保護カバーからなる。この保護カバー５は、配設面１側に位置する基台５ｂと、その基台５ｂに被る蓋体５ｃとを備える。基台５ｂは、配設面１と対向する基部５ｄと、その基部５ｄから延設されて、配線・配管材２を支持する配線・配管材支持部５ｅとを有している。蓋体５ｃは、断面逆Ｕ字状に形成されて、基台５ｂに組み付けられる。ここで、蓋体５ｃには、内側に突設された被掛止め部５ｆが設けられ、この被掛止め部５ｆが、基台５ｂに設けられた掛止め部５ｇに掛かることで、蓋体５ｃは、基台５ｂに対し、弾性的に組み付けられる。なお、図中符号５ｈは、断熱材を示し、この断熱材５ｈは、蓋体５ｃの内面を覆うように設けられる。また、符号９は、保護カバー５（詳しくは、基台５ｂ）を配設面１に固定するための、ビスとか釘等の固着具を示す。
【００３６】
保持具６は、その覆い部６ａと脚部６ｂ、６ｂとを備える保持具本体６ｆが、帯状であって逆Ｕ字状に延びて形成されている。そして、この保持具本体６ｆには、その内面に、その延びる方向に沿う溝６ｇが形成され、外面に、その延びる方向に沿う帯状の凸段部６ｈが形成されている。固定部６ｃは、保持具本体６ｆの両端に設けられ、側方に板状に延びて、略方形形状をしている。この固定部６ｃには、固定部６ｃ、ひいては保持具６を、配設面１に固定するためのビスとか釘等の固着具１０が通る取付孔６ｉが貫通するようにあけられている。また、固定部６ｃは、保持具用スペーサー７に設けられた後述する嵌合部７ｄが嵌合する被嵌合部６ｊを有している。図示実施の形態においては、被嵌合部６ｊは、穴からなり、固定部６ｃの下面６ｄ側にあけられている。
【００３７】
保持具用スペーサー７は、盤状に形成され、かつ、上面７ａが（詳しくは、下面７ｂを含めて）、保持具６における固定部６ｃの下面６ｄと略同一の大きさに形成されて、その上面７ａが、固定部６ｃの下面６ｄに一致するように合わせられる。すなわち、図示実施の形態においては、保持具用スペーサー７は、固定部６ｃの略方形形状に合わせた、略方形形状をしている。そして、保持具用スペーサー７は、固定部６ｃの取付孔６ｉと連通可能な、取付孔７ｃが、貫通するようにあけられている。そこで、固着具１０が、固定部６ｃの取付孔６ｉおよびこの取付孔７ｃを通って配設面１にねじ込まれたり打ち込まれたりする。
【００３８】
この保持具用スペーサー７は、嵌合部７ｄを有する。図示実施の形態においては、嵌合部７ｄは、突起からなり、保持具用スペーサー７の上面７ａ側に設けられる。そして、保持具６と保持具用スペーサー７とは、保持具６における被嵌合部６ｊにこの嵌合部７ｄが嵌合して組み付けられる（図２参照）。
【００３９】
また、保持具用スペーサー７は、高さ方向に積み重ねられて配置される。そこで、保持具用スペーサー７は、嵌合部７ｅと被嵌合部７ｆとを有している。図示実施の形態においては、嵌合部７ｅは、突起からなり、保持具用スペーサー７の上面７ａ側に設けられ、被嵌合部７ｆは、穴からなり、保持具用スペーサー７の下面７ｂ側にあけられる。そして、一の保持具用スペーサー７の嵌合部７ｅが、他の保持具用スペーサー７の被嵌合部７ｆに嵌合して、複数の保持具用スペーサー７、７どうしが積み重ねられて組み付けられる（図２参照）。なお、図示実施の形態においては、保持具６と保持具用スペーサー７との組み付けに用いられる嵌合部７ｄと、保持具用スペーサー７、７どうしの組み付けに用いられる嵌合部７ｅとは、同一であるが（つまり、これらを兼ねた一つの嵌合部であるが）、これらを別々に形成してもよい。
【００４０】
また、保持具用スペーサー７は、保護カバー用スペーサー８の側面に当接する、当接部７ｇを有する。この当接部７ｇは、内側（つまり、保護カバー用スペーサー８側）を向く平面からなり、保護カバー用スペーサー８の平面からなる側面に安定して当接する。また、保持具用スペーサー７には、下面７ｂに、窪み７ｈが形成され、この窪み７ｈは、周面（図示実施の形態においては、当接部７ｇ側の面）に開口するように設けられている。
【００４１】
保護カバー用スペーサー８は、平板状に形成されて、保護カバー５に沿って（つまり、配線・配管材２に沿って）延びている。そして、前記保持具用スペーサー７の厚みとこの保護カバー用スペーサー８の厚みとは、同じであって、それら保持具用スペーサー７と保護カバー用スペーサー８とが、それぞれ高さ方向に積み重ねられて配置される。
【００４２】
次に、以上の構成からなる保護カバー装置３、配設構造４、および保持具用スペーサー７の作用効果について説明する。配線・配管材２を収容保護する保護カバー５は、その保護カバー５に跨がって配設面１に取り付けられる保持具６により保持される。ここで、保持具６に備わる両脚部６ｂ、６ｂの先端に設けられた固定部６ｃ、６ｃにおける、片側もしくは各片側の固定部６ｃと、配設面１との間に、保持具用スペーサー７が介在するように設けられ、その保持具用スペーサー７を介して、固定部６ｃが配設面１に固定される。こうして、保持具６に対して保持具用スペーサー７を用いることで（詳しくは、固定部６ｃと配設面１との間に保持具用スペーサー７を介在させることで）、保持具６（詳しくは、保持具６の固定部６ｃ）が配設面１に届かなくても、この保持具６で保護カバー５を保持することができる。
【００４３】
また、保護カバー装置３は、保護カバー５と配設面１との間に介在する保護カバー用スペーサー８を備えており、この保護カバー用スペーサー８と保持具用スペーサー７とを併せて用いることで、保護カバー５の配設レイアウトの自由度を高くすることができる。
【００４４】
また、保持具用スペーサー７は、高さ方向に積み重ねられて配置され、こうして、保持具用スペーサー７を積み重ねることで、固定部６ｃと配設面１との間隔の種々の寸法に対応することができ、使い勝手が良い。しかも、保持具用スペーサー７と保護カバー用スペーサー８との高さを統一し、それぞれが積み重ねられるため、様々な状況に対応することができ、一層使い勝手が良い。
【００４５】
また、保持具６と保持具用スペーサー７とは、被嵌合部６ｊと嵌合部７ｄとの嵌合により組み付けられるため、保持具６の配置の作業性が良い。
【００４６】
また、保持具用スペーサー７どうしは、嵌合部７ｅと被嵌合部７ｆとの嵌合により組み付けられるため、保持具用スペーサー７の配置の作業性が良い。しかも、保持具用スペーサー７が、保護カバー用スペーサー８に当接する当接部７ｇを有することで、保持具用スペーサー７を配置する際に、その配置位置を決定しやすく、一層保持具用スペーサー７の配置の作業性がよい。
【００４７】
なお、本発明は、上述した実施の形態に限定されるわけではなく、その他種々の変更が可能である。例えば、保護カバー５は、基台５ｂと蓋体５ｃとを備えるものでなくとも、例えば、パイプからなっていてもよく、また、下方が開口するものであってもよい。
【００４８】
また、保護カバー５は、直状保護カバーでなくとも、その直状保護カバーに続いて、配線・配管材２（継手を含む）における配線・配管経路の曲がり部分、分岐部分、延長部分等の中間部、あるいはその配線・配管経路の端部を収容保護する、付属保護カバーであってもよい。
【００４９】
また、保護カバー５の配設構造４において、図１１および図１２に示すように、保護カバー５は、配設面１に形成された段部１ａの上段面１ｂに配設されてもよい。ここで、保持具６の両固定部６ｃ、６ｃの下面６ｄ、６ｄは、保護カバー５の下面５ａと面一となっている。そこで、図１１に示す例においては、固定部６ｃ、６ｃのうちの一方は、段部１ａの下段面１ｃに対向して、段部１ａの高さ分、その固定部６ｃと下段面１ｃとの間に介在する保持具用スペーサー７を介して、その下段面１ｃに固定される。そして、固定部６ｃ、６ｃのうちの他方は、保持具用スペーサー７を介すことなく、上段面１ｂに直接固定される。つまり、保護カバー装置３は、固定部６ｃ、６ｃにおける、片側の固定部６ｃと、配設面１との間に介在する保持具用スペーサー７を備え、その保持具用スペーサー７が設けられた一方の固定部６ｃが、その保持具用スペーサー７を介して配設面１に固定される。また、図１２に示す例においては、保護カバー５と配設面１（詳しくは、上段面１ｂ）との間に、保護カバー用スペーサー８が介在し、固定部６ｃ、６ｃのうちの一方は、段部１ａの下段面１ｃに対向して、その固定部６ｃと下段面１ｃとの間に介在する保持具用スペーサー７を介して、その下段面１ｃに固定される。そして、固定部６ｃ、６ｃのうちの他方は、その固定部６ｃと上段面１ｂとの間に介在する保持具用スペーサー７を介して、その上段面１ｂに固定される。また、これら図１１および図１２に示す例において、保持具用スペーサー７における当接部７ｇは、配設面１に形成された段部１ａの側面に当接する当接部ともなっている。このため、保持具用スペーサー７を配置する際に、その配置位置を決定しやすく、保持具用スペーサー７の配置の作業性がよい。また、この当接部７ｇは、内側（つまり、段部１ａ側）を向く平面からなり、段部１ａの平面からなる側面に安定して当接する。
【００５０】
また、保護カバー５の配設構造４において、図１３および図１４に示すように、保持具６は、相対的に高さの低い保護カバー用に（つまり、相対的に高さの低い保護カバーの下面と保持具６における固定部６ｃの下面６ｄとが面一となるように）脚部６ｂが短く形成され、その保持具６を相対的に高さの高い保護カバー５に用いてもよい。ここで、図１３に示す例においては、保持具６の両固定部６ｃ、６ｃのそれぞれが、その固定部６ｃと配設面１との間に介在する保持具用スペーサー７を介して、配設面１に固定される。図示実施の形態においては、保持具用スペーサー７は、保持具６の両方の固定部６ｃ、６ｃ側に、六対設けられている。また、図１４に示す例においては、保護カバー５は、配設面１に形成された段部１ａの下段面１ｃに配設される。ここにおいて、固定部６ｃ、６ｃのうちの一方は、段部１ａの下段面１ｃに対向して、その固定部６ｃと下段面１ｃとの間に介在する保持具用スペーサー７を介して、その下段面１ｃに固定される。そして、固定部６ｃ、６ｃのうちの他方は、保持具用スペーサー７を介すことなく、直接段部１ａの上段面１ｂに固定される。また、これら図１３および図１４に示す例において、保持具用スペーサー７における当接部７ｇは、保護カバー５の側面に当接する当接部ともなっている。このため、保持具用スペーサー７を配置する際に、その配置位置を決定しやすく、保持具用スペーサー７の配置の作業性がよい。また、この当接部７ｇは、内側（つまり、保護カバー５側）を向く平面からなり、保護カバー５の平面からなる側面に安定して当接する。
【００５１】
また、保護カバー５の配設構造４において、図１５に示すように、傾斜、不陸等を有する配設面１における、下がった側にある固定部６ｃに対して、保持具用スペーサー７が設けられてもよい。
【００５２】
また、以上に示す保護カバー５の配設構造４において、各要素を適宜組み合わせることができるのは勿論である。
【符号の説明】
【００５３】
１  配設面
１ａ  段部
１ｂ  上段面
１ｃ  下段面
２  配線・配管材
３  保護カバー装置
４  配設構造
５  保護カバー
５ａ  下面
６  保持具
６ａ  覆い部
６ｂ  脚部
６ｃ  固定部
６ｄ  下面
６ｊ  被嵌合部
７  保持具用スペーサー
７ａ  上面
７ｄ  嵌合部
７ｅ  嵌合部
７ｆ  被嵌合部
７ｇ  当接部
８  保護カバー用スペーサー
【図１】
2014214775.tif 000003
【図２】
2014214775.tif 000004
【図３】
2014214775.tif 000005
【図４】
2014214775.tif 000006
【図５】
2014214775.tif 000007
【図６】
2014214775.tif 000008
【図７】
2014214775.tif 000009
【図８】
2014214775.tif 000010
【図９】
2014214775.tif 000011
【図１０】
2014214775.tif 000012
【図１１】
2014214775.tif 000013
【図１２】
2014214775.tif 000014
【図１３】
2014214775.tif 000015
【図１４】
2014214775.tif 000016
【図１５】
2014214775.tif 000017
【図１６】
2014214775.tif 000018